【手続補正書】
【提出日】平成15年8月28日(2003.8.28)
【手続補正１】
【補正対象書類名】明細書
【補正対象項目名】特許請求の範囲
【補正方法】変更
【補正の内容】
【特許請求の範囲】
【請求項１】
内壁にメスヘリコイドとカムとが形成されたカム筒と、レンズを保持するとともに外壁に前記メスヘリコイドに結合するオスヘリコイドとが形成されて前記カム筒の回転によるヘリコイド作用により光軸方向に移動するオスヘリコイド筒とを有するレンズ鏡筒において、前記メスヘリコイドを、第１のメスヘリコイド部と、この第１のメスヘリコイド部に連続して形成されて前記第１のメスヘリコイド部と異なるリードを与える第２のメスヘリコイド部とからなる複合メスヘリコイドとし、
前記オスヘリコイド筒における前記オスヘリコイドを、前記第１および第２のメスヘリコイド部にそれぞれ面係合可能な第１および第２のオスヘリコイド部を備えた複合オスヘリコイドとしたことを特徴とするレンズ鏡筒。
【請求項２】
レンズを保持するとともに外壁に前記カムに係合するカムピンが設けられて前記カム筒の回転によるカム作用により光軸方向に移動するレンズ保持部材を有し、
前記カム筒における前記メスヘリコイドと前記カムが、互いに非干渉となるように形成されていることを特徴とする請求項１に記載のレンズ境筒。
【請求項３】
前記カムが、溝形状に形成されていることを特徴とする請求項１又は２に記載のレンズ鏡筒。
【請求項４】
前記カムが、光軸方向について交互凹凸形状となるように形成されており、
前記第１のメスヘリコイド部と前記第２のメスヘリコイド部との連続部分が、前記カムのうちメスヘリコイド側が凹形状となっている部分の近傍に形成されていることを特徴とする請求項１から３のいずれかに記載のレンズ鏡筒。
【請求項５】
前記第１のメスヘリコイド部は、変倍および合焦動作のために前記オスヘリコイド筒を光軸方向に移動させ、前記第２のメスヘリコイド部は、変倍および合焦動作以外の動作のために前記オスヘリコイド筒を光軸方向に移動させることを特徴とする請求項１から４のいずれかに記載のレンズ鏡筒。
【請求項６】
前記変倍および合焦動作以外の動作が、収納動作であることを特徴とする請求項５に記載のレンズ鏡筒。
【請求項７】
前記第１のオスヘリコイド部の前記第１のメスヘリコイド部に対する周方向の係合長さが、前記第２のオスヘリコイド部の前記第２のオスヘリコイド部に対する周方向の係合長さよりも長いことを特徴とする請求項１から５のいずれかに記載のレンズ鏡筒。
【請求項８】
前記メスヘリコイドにおける前記オスヘリコイドの組込み端近傍に、それぞれ前記第１および第２のメスヘリコイド部と同じリードを与える第１および第２の組み込み用メスヘリコイド部を連続形成したことを特徴とする請求項１から７のいずれかに記載のレンズ鏡筒。
【請求項９】
前記第１および第２の組み込み用メスヘリコイド部が、前記カムにおける前記カムピンの組み込み端との干渉を避けるように組み合わされて連続形成されていることを特徴とする請求項８に記載のレンズ鏡筒。
【請求項１０】
前記カム筒が、差動型ズーム鏡筒構造における差動筒であることを特徴とする請求項１から９のいずれかに記載のレンズ鏡筒。
【請求項１１】
前記カム筒にこのカム筒の外壁側にてヘリコイド結合する固定筒を有しており、前記カム筒の回転によりこのカム筒が前記固定筒に対して光軸方向に移動することを特徴とする請求項１から１０のいずれかに記載のレンズ鏡筒。
【請求項１２】
請求項１から１１のいずれかに記載のレンズ鏡筒を備えたことを特徴とするカメラ。
【手続補正２】
【補正対象書類名】明細書
【補正対象項目名】００１６
【補正方法】変更
【補正の内容】
【００１６】
【課題を解決するための手段】
上記の課題を解決するために、本発明では、内壁にメスヘリコイドとカム（例えば、カム溝）とが形成されたカム筒と、レンズを保持するとともに外壁に上記メスヘリコイドに結合するオスヘリコイドとが形成されてカム筒の回転によるヘリコイド作用により光軸方向に移動するオスヘリコイド筒とを有するレンズ鏡筒において、メスヘリコイドを、第１のメスヘリコイド部と、この第１のメスヘリコイド部に連続して形成されて第１のメスヘリコイド部と異なるリードを与える第２のメスヘリコイド部とからなる複合メスヘリコイドとし、オスヘリコイド筒におけるオスヘリコイドを、第１および第２のメスヘリコイド部にそれぞれ面係合可能な第１および第２のオスヘリコイド部を備えた複合オスヘリコイドに形成している。
【手続補正３】
【補正対象書類名】明細書
【補正対象項目名】００１７
【補正方法】削除
【補正の内容】
【手続補正４】
【補正対象書類名】明細書
【補正対象項目名】００１８
【補正方法】変更
【補正の内容】
【００１８】
これにより、カム筒の厚みを厚くすることなく(ひいてはレンズ鏡筒全体の径を大きくすることなく)、ヘリコイド結合とカム溝結合とを同時に満足できるカム筒を実現することが可能になる。
ここで、レンズを保持するとともに外壁にカムに係合するカムピンが設けられてカム筒の回転によるカム作用により光軸方向に移動するレンズ保持部材をレンズ境筒に備え付け、さらにカム筒におけるメスヘリコイドとカムとを互いに非干渉となるように形成してもよい。
【手続補正５】
【補正対象書類名】明細書
【補正対象項目名】００２５
【補正方法】変更
【補正の内容】
【００２５】
先ず、図１において、本ズームレンズ鏡筒の全体構成について説明する。ズームレンズ鏡筒（ユニット）全体を収納している固定筒１の内壁には、メスヘリコイド１ａが形成されている。このメスヘリコイド１ａは、カム筒２の外周の結像面側に形成された平歯ヘリコイド２ａのうちオスヘリコイドとヘリコイド結合している。これにより、カム筒２は、固定筒１に対して光軸を中心に回転しながらヘリコイド作用によって光軸方向に進退可能に保持される。


【手続補正６】
【補正対象書類名】明細書
【補正対象項目名】００２９
【補正方法】変更
【補正の内容】
【００２９】
前群筒（オスヘリコイド筒）４の内側には、不図示の前群レンズ、シャッタ機構などが保持されている。前群筒４の外壁の結像面側には、複合オスヘリコイド４ａが形成されており、この複合オスヘリコイド４ａはカム筒２の複合メスヘリコイド２ａとヘリコイド結合している。なお、この複合オスヘリコイド４ａについても後で詳述する。


【手続補正７】
【補正対象書類名】明細書
【補正対象項目名】００３０
【補正方法】変更
【補正の内容】
【００３０】
また、前群筒４の内周には、直進溝４ｂおよび周方向等間隔の３本の直進キー４ｃとが形成されていて、それぞれ、後述する直進キーリング６および後群筒５とキー結合している。


【手続補正８】
【補正対象書類名】明細書
【補正対象項目名】００４１
【補正方法】変更
【補正の内容】
【００４１】
通常、ヘリコイドはヘリコイド結合する面が光軸方向前後に一組あり、単一リードを与える。これに対し、前群筒４に形成されている複合オスヘリコイド４ａは、前群筒４の径方向から見て菱形または平行四辺形に似た形状をしていて、相対する１組の平行面が第１のリードを与える第１オスヘリコイド面４ｄを、もう１組の平行面が第１のリードよりも小さい第２のリードを与える第２オスヘリコイド面４ｅを構成する。ここで、第１ヘリコイド面４ｄは、第２ヘリコイド面４ｅよりも前群筒４の周方向に長くなるように形成されている。


【手続補正９】
【補正対象書類名】明細書
【補正対象項目名】００４２
【補正方法】変更
【補正の内容】
【００４２】
一方、カム筒２に形成された複合メスヘリコイド２ｂは、上記第１のリードを与える第１メスヘリコイド面２ｅと、上記第２のリードを与える第２メスヘリコイド面２ｆとが連続して形成され、全体として一体のメスヘリコイドとして形成されている。


【手続補正１０】
【補正対象書類名】明細書
【補正対象項目名】００４４
【補正方法】変更
【補正の内容】
【００４４】
例えば、複合メスヘリコイド２ｂのうち前群筒４を沈胴状態とワイド状態との間で移動させる第２メスヘリコイド面２ｆと前群筒４をワイド状態とテレ状態との間で移動させる第１メスヘリコイド面２ｅとのカム溝２ｃ側の連続点は、カム溝２ｃのうち複合メスヘリコイド２ｂ側に凹となる部分の近傍に迫り出すように位置している。これにより、複合メスヘリコイド２ｂとカム溝２ｃとを互いの干渉を避けつつ、近接配置することが可能となり、カム筒２の光軸方向の小型化を図ることができる。


【手続補正１１】
【補正対象書類名】明細書
【補正対象項目名】００４８
【補正方法】変更
【補正の内容】
【００４８】
次に、この複合ヘリコイドを用いたレンズ鏡筒の繰り出し動作および組立てについて、図４〜図８を用いて説明する。これらの図は外面展開形状でカム筒２および前群筒４の一部を表していて、内面側で必要な部分は破線で示している。また、各動きで関連する後群筒５のカムピン５ａも参考のため併記する。